(57)【特許請求の範囲】
【請求項１】
発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、指向性可変のアンテナと、前記第２の比較部における比較結果に基づき前記アンテナの指向性を制御する第３の制御部とを備えることを特徴とする携帯電話。
【請求項２】
発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、前記携帯電話の異なる面にそれぞれ配置された複数のアンテナと、前記第２の比較部における比較結果に基づき前記複数のアンテナを切替え制御する第４の制御部とを備えることを特徴とする携帯電話。
【請求項３】
発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、発光するバックライトと、着信音を発生する着信音発生手段と、指向性可変のアンテナと、前記バックライト、着信音発生手段およびアンテナの制御の有無を設定する第２の設定部と、前記第２の設定部の設定に基づき選択されたバックライトおよび着信音発生手段に対し前記第２の比較部における比較結果に従いバックライトの発光、着信音発生手段の着信音の発生およびアンテナの指向性を制御する第６の制御部とを備えることを特徴とする携帯電話。
【請求項４】
発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、発光するバックライトと、着信音を発生する着信音発生手段と、前記携帯電話の異なる面にそれぞれ配置された複数のアンテナと、前記バックライト、着信音発生手段および複数のアンテナの制御の有無および前記複数のアンテナの切替え制御の有無を設定する第３の設定部と、前記第３の設定部の設定に基づき選択されたバックライト、着信音発生手段および複数のアンテナに対し前記第２の比較部における比較結果に従い前記バックライトの発光、着信音発生手段の着信音の発生および複数のアンテナの指向性を制御するとともに前記複数のアンテナの切替えを制御する第７の制御部とを備えることを特徴とする携帯電話。
【発明の詳細な説明】
【０００１】
【発明の属する技術分野】
本発明は、周囲の環境を検出してそれに対応する手段を有する携帯電話に関するものである。
【０００２】
【従来の技術】
従来、この種の携帯電話機としては、図１４に示すようなものがあった。図１４のブロック図に示す携帯電話は、アンテナ３１と、受話部３２（スピーカ）と、送話部（マイク）３３と、無線通信回路部３４と、音声処理部３５と、携帯電話機全体の制御を司る制御部３６と、光センサ３７と、明るさレベル判定部３８と、騒音レベル判定部３９と、呼出し音発生制御部４０と、操作部４１と、電話帳機能部４２と、ＬＥＤ点滅条件判定部４３と、ＬＣＤ駆動制御部４４と、液晶表示部４５と、ＬＥＤ駆動制御部４６と、ＬＥＤ照明部（バックライト部）４７とにより構成されている。この構成により、携帯電話機の周囲の明るさに応じて、呼び出し音を自動的に変化させることを特徴としたものである（特開平９−１２１２３６号公報）。
【０００３】
【発明が解決しようとする課題】
しかしながら、上記のような従来の携帯電話機では、光センサという特殊なセンサを用いる必要があることや、周囲の明るさを基準とするため、暗闇における動作では認識を誤るという問題があった。
【０００４】
本発明は、上記のような従来の問題を解決するためになされたもので、検出した周囲環境に応じてＬＣＤやキーなどのバックライトや着信音を制御しうる携帯電話を提供するものである。
【０００５】
【課題を解決するための手段】
本発明における携帯電話は、発振波を発生する発振部と、前記発振部からの発振波の入力レベルを検出する検出部と、検出した発振波の入力レベルを基準値と比較する第１の比較部と、発光するバックライトと、前記第１の比較部における比較結果に基づき前記バックライトの発光を制御する第１の制御部とを備えるという構成を有している。この構成により、検出部により検出された発振波の入力レベルを基準値と比較することにより、この比較結果から携帯電話のＬＣＤ面の障害物の有無を判断することができ、ＬＣＤ面に障害物が有る場合に、ＬＣＤやキーのバックライトを消灯するなど、制御することができる。
【０００６】
本発明における携帯電話は、発振波を発生する発振部と、前記発振部からの発振波の入力レベルを検出する検出部と、検出した発振波の入力レベルを基準値と比較する第１の比較部と、着信音を発生する着信音発生手段と、前記第１の比較部における比較結果に基づき前記着信音発生手段の着信音の発生を制御する第２の制御部とを備えるという構成を有している。この構成により、検出部により検出された発振波の入力レベルを基準値と比較することにより、この比較結果から携帯電話のＬＣＤ面の障害物の有無を判断することができ、ＬＣＤ面に障害物が有る場合に、着信音の音量を上げる等、着信音発生手段の音量を制御することができる。
【０００７】
本発明における携帯電話は、発振波を発生する発振部と、携帯電話の異なる面に配置され前記発振部からの発振波の入力レベルを検出する複数の検出部と、前記複数の検出部の各々で検出された発振波の入力レベルを基準値とそれぞれ比較する第２の比較部と、発光するバックライトと、前記第２の比較部における比較結果に基づき前記バックライトの発光を制御する第１の制御部とを備えるという構成を有している。この構成により、複数の検出部により検出された発振波の入力レベルをそれぞれ基準値と比較することにより、この比較結果からＬＣＤ面のみではなく、ＬＣＤ面とは反対側の面の障害物の有無も判断でき、携帯電話の周囲における障害物の有無によるバックライトの制御を行うことができる。
【０００８】
本発明における携帯電話は、発振波を発生する発振部と、携帯電話の異なる面に配置され前記発振部からの発振波の入力レベルを検出する複数の検出部と、前記複数の検出部の各々で検出された発振波の入力レベルを基準値とそれぞれ比較する第２の比較部と、着信音を発生する着信音発生手段と、前記第２の比較部における比較結果に基づき前記着信音発生手段の着信音の発生を制御する第２の制御部とを備えるという構成を有している。この構成により、複数の検出部により検出された発振波の入力レベルをそれぞれ基準値と比較することにより、この比較結果からＬＣＤ面のみではなく、ＬＣＤ面とは反対側の面の障害物の有無も判断でき、携帯電話の周囲における障害物の有無による着信音発生手段の音量の制御を行うことができる。
【０００９】
本発明における携帯電話は、発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、指向性可変のアンテナと、前記第２の比較部における比較結果に基づき前記アンテナの指向性を制御する第３の制御部とを備えるという構成を有している。この構成により、１以上の検出部により検出された発振波の入力レベルをそれぞれ基準値と比較することにより、この比較結果からＬＣＤ面のみではなく、ＬＣＤ面とは反対側の面の障害物の有無も判断でき、携帯電話の周囲における障害物の有無によりアンテナ指向性の制御を行うことができる。
【００１０】
本発明における携帯電話は、発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、前記携帯電話の異なる面にそれぞれ配置された複数のアンテナと、前記第２の比較部における比較結果に基づき前記複数のアンテナを切替え制御する第４の制御部とを備えるという構成を有している。この構成により、１以上の検出部により検出された発振波の入力レベルをそれぞれ基準値と比較することにより、この比較結果からＬＣＤ面のみではなく、ＬＣＤ面とは反対側の面の障害物の有無も判断でき、携帯電話の周囲における障害物の有無により動作させるアンテナの切換制御を行うことができる。
【００１１】
本発明における携帯電話は、発振波を発生する発振部と、前記発振部からの発振波の入力レベルを検出する検出部と、検出された発振波の入力レベルを基準値と比較する第１の比較部と、発光するバックライトと、着信音を発生する着信音発生手段と、前記バックライトおよび着信音発生手段の制御の有無を設定する第１の設定部と、前記第１の設定部の設定に基づき選択されたバックライトおよび着信音発生手段に対し前記第１の比較部における比較結果に従い前記バックライトの発光および前記着信音発生手段の着信音の発生を制御する第５の制御部とを備えるという構成を有している。この構成により、検出部により検出された発振波の入力レベルを基準値と比較することにより、この比較結果から携帯電話のＬＣＤ面の障害物の有無を判断することができ、さらに、バックライトおよび着信音発生手段の制御の有無を単一または複数選択的に設定することができ、設定したバックライトおよび着信音発生手段に対してのみ障害物の有無による制御を行うようにすることができる。
【００１２】
本発明における携帯電話は、発振波を発生する発振部と、携帯電話の異なる面に配置され前記発振部からの発振波の入力レベルを検出する複数の検出部と、前記複数の検出部の各々で検出された発振波の入力レベルを基準値とそれぞれ比較する第２の比較部と、発光するバックライトと、着信音を発生する着信音発生手段と、前記バックライトおよび着信音発生手段の制御の有無を設定する第１の設定部と、前記第１の設定部の設定に基づき選択された前記バックライトおよび着信音発生手段に対し前記第２の比較部における比較結果に従いバックライトの発光および着信音発生手段の着信音の発生を制御する第５の制御部とを備えるという構成を有している。この構成により、複数の検出部により検出された発振波の入力レベルをそれぞれ基準値と比較することにより、この比較結果からＬＣＤ面のみではなく、ＬＣＤ面とは反対側の面の障害物の有無も判断でき、さらに、バックライトおよび着信音発生手段の制御の有無を単一または複数選択的に設定することができ、設定したバックライトおよび着信音発生手段に対してのみ障害物の有無による制御を行うようにすることができる。
【００１３】
本発明における携帯電話は、発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、発光するバックライトと、着信音を発生する着信音発生手段と、指向性可変のアンテナと、前記バックライト、着信音発生手段およびアンテナの制御の有無を設定する第２の設定部と、前記第２の設定部の設定に基づき選択されたバックライトおよび着信音発生手段に対し前記第２の比較部における比較結果に従いバックライトの発光、着信音発生手段の着信音の発生およびアンテナの指向性を制御する第６の制御部とを備えるという構成を有している。この構成により、１以上の検出部により検出された発振波の入力レベルをそれぞれ基準値と比較することにより、この比較結果からＬＣＤ面のみではなく、ＬＣＤ面とは反対側の面の障害物の有無も判断でき、さらに、バックライト、着信音発生手段およびアンテナの指向性の制御の有無を単一または複数選択的に設定することができ、設定したバックライト、着信音発生手段およびアンテナに対してのみ障害物の有無による制御を行うようにすることができる。
【００１４】
本発明における携帯電話は、発振波を発生する発振部と、携帯電話の表面、裏面、または、表面及び裏面に配置され前記発振部からの発振波の入力レベルを検出する１以上の検出部と、前記１以上の検出部の各々で検出された発振波の入力レベルを基準値とそれぞれ比較する第２の比較部と、発光するバックライトと、着信音を発生する着信音発生手段と、前記携帯電話の異なる面にそれぞれ配置された複数のアンテナと、前記バックライト、着信音発生手段および複数のアンテナの制御の有無および前記複数のアンテナの切替え制御の有無を設定する第３の設定部と、前記第３の設定部の設定に基づき選択されたバックライト、着信音発生手段および複数のアンテナに対し前記第２の比較部における比較結果に従い前記バックライトの発光、着信音発生手段の着信音の発生および複数のアンテナの指向性を制御するとともに前記複数のアンテナの切替えを制御する第７の制御部とを備えるという構成を有している。この構成により、１以上の検出部により検出された発振波の入力レベルをそれぞれ基準値と比較することにより、この比較結果からＬＣＤ面のみではなく、ＬＣＤ面とは反対側の面の障害物の有無も判断でき、さらに、バックライト、着信音発生手段およびアンテナの指向性の制御の有無とアンテナの切換制御の有無とを単一または複数選択的に設定することができ、設定したバックライト、着信音発生手段およびアンテナに対してのみ障害物の有無による制御およびアンテナの切換制御を行うようにすることができる。
【００１５】
【発明の実施の形態】
以下、図１ないし図１３に基づき、本発明の第１ないし第１０の実施の形態を詳細に説明する。
【００１６】
（第１の実施の形態）
まず、図１に示す本発明の第１の実施の形態における携帯電話の外観略図および図２に示すブロック図を参照して、本実施の形態における携帯電話について説明する。本実施の形態における携帯電話は、携帯電話の発振回路を利用して発振波（音、電波等）を出力する発振部１と、この発振部１から出力された発振波の入力レベルを検出する上部検出部２と、上部検出部２で検出された発振波の入力レベルを所定の基準値（変更可）と比較する比較部（Ａ）３と、ＬＣＤ６やキー７のバックライト９を制御する制御部（Ａ）４とを備えて構成される。
【００１７】
次に、図１および図２を参照して、本発明の第１の実施の形態における携帯電話の動作を説明する。まず、上部検出部２により発振部１から出力された発振波の入力レベルを検出し、比較部（Ａ）３において所定の基準値と比較し、比較した結果に基づき、制御部（Ａ）４によりバックライト９の発光（オン／オフ、明暗等）を制御するよう動作する。
すなわち、例えば、入力した発振波のレベルが低い場合には、発振部１と上部検出部２との間に障害物があるものとして、バックライト９を消灯するよう制御する。
【００１８】
以上、説明したように、ＬＣＤ６やキー７が、例えば、使用者の頭とか他のもので塞がれている場合とか、携帯電話自体がポケットに入っているか、下向きに机上に置かれているような場合には、ＬＣＤ６やキー７のバックライト９は使用せず、点灯する必要がない状態であるから、バックライト（９）を自動的に消灯して、消費電流の削減を図ることができる。
【００１９】
（第２の実施の形態）
次に、図１に示す本発明の第２の実施の形態における携帯電話の外観略図および図３に示すブロック図を参照して、本実施の形態における携帯電話について説明する。本実施の形態における携帯電話は、第１の実施の形態における携帯電話とは、制御する対象をバックライト（９）に代え着信音を発生する着信音発生手段としてのブザー５とし、制御部（Ａ）４の代わりにブザー５を制御する制御部（Ｂ）１２に変更した点が相違している。
【００２０】
このような構成により、第１の実施の形態における携帯電話と同様に、比較部（Ａ）３において、入力した発振部１からの発振波の入力レベルを基準値と比較し、比較した結果に基づき、制御部（Ｂ）１２によりブザー５の着信音（オン／オフ、大小等）を制御するよう動作する。
例えば、入力した発振波のレベルが低い場合には、発振部１と上部検出部２との間が障害物で塞がれているものとして、ブザー５の着信音を大きくするよう制御する。
【００２１】
以上、説明したように、本実施の形態では、携帯電話の片側（図ではブザー側）の障害物の有無を判断することができ、携帯電話の片側の障害物の有無に対して着信音を制御することができるという効果が得られる。
【００２２】
（第３の実施の形態）
次に、図４に示す本発明の第２の実施の形態における携帯電話の外観略図および図５に示すブロック図を参照して、本実施の形態における携帯電話について説明する。本実施の形態における携帯電話は、第１の実施の形態における携帯電話とは、さらに、上部検出部２の設置面（表面）とは反対側の面（裏面）に下部検出部１０を設け、比較部（Ａ）３に代わり比較部（Ｂ）１１を設けた点が相違している。
【００２３】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ａ）４によりＬＣＤ６およびキー７のバックライト９の発光を制御するよう動作する。
【００２４】
すなわち、比較部（Ｂ）１１は障害物が携帯電話の表面ではなく、裏面にあるような場合でも、すなわち、障害物の存在を携帯電話の片面のみでなく、携帯電話の両面について同時にその有無を判断し、障害物が両面のどこにあっても、それを認識するようにしたことにより、ＬＣＤ６やキー７のバックライト９が片面構成でなく、両面構成の場合でも制御することができ、また携帯電話を使用するものがＬＣＤ６やキー７の反対側の面にいたとしても、制御することが可能である。
【００２５】
以上、説明したように、本実施の形態では、携帯電話の両面の障害物の有無に対して、ＬＣＤ６やキー７のバックライト９をオフすることができ、消費電流の削減を多様化することができるという効果が得られる。
【００２６】
（第４の実施の形態）
次に、図４に示す本発明の第４の実施の形態における携帯電話の外観略図および図６に示すブロック図を参照して、本実施の形態における携帯電話について説明する。本実施の形態における携帯電話は、第２の実施の形態における携帯電話とは、さらに、上部検出部２の設置面（表面）とは反対側の面（裏面）に下部検出部１０を設け、比較部（Ａ）３に代わり比較部（Ｂ）１１を設けた点が相違している。
【００２７】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｂ）１２によりブザー５の着信音を制御するよう動作する。
【００２８】
以上、説明したように、本実施の形態では、携帯電話の両面の障害物の有無を判断して、両面の障害物の有無に対応してブザー５の着信音の制御を可能にしたことにより、ブザー５の着信音の制御を多様化することができるという効果が得られる。
【００２９】
（第５の実施の形態）
次に、図４に示す本発明の第５の実施の形態における携帯電話の外観略図および図７に示すブロック図を参照して、本実施の形態における携帯電話について説明する。本実施の形態における携帯電話は、第３の実施の形態における携帯電話とは、制御する対象をＬＣＤ６やキー７のバックライト９に代えてアンテナ８とし、制御部（Ａ）４をアンテナ８の指向性を制御する制御部（Ｃ）１３に変更した点が相違している。
【００３０】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｃ）１３によりアンテナの指向性を制御するよう動作する。
【００３１】
以上、説明したように、本実施の形態では、携帯電話を人体に装着したときに、アンテナの指向性を人体装着面以外の方向へ向けることができるので、人体装着時のアンテナ特性を向上させることが可能になるという効果が得られる。
【００３２】
（第６の実施の形態）
次に、図８に示す本発明の第６の実施の形態における携帯電話の外観略図および図９に示すブロック図を参照して、本実施の形態における携帯電話について説明する。本実施の形態における携帯電話は、第５の実施の形態における携帯電話とは、さらに、制御する対象を１本のアンテナ８のみではなく、アンテナ（Ａ）１４とアンテナ（Ｂ）２０の２本を備え、制御部（Ａ）４の代わりにアンテナ（Ａ）１４およびアンテナ（Ｂ）２０を制御する制御部（Ｄ）１５に変更した点が相違している。
【００３３】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｄ）１５により両アンテナ（Ａ）１４、（Ｂ）２０の指向性を制御するほか、例えば、アンテナ（Ａ）１４およびアンテナ（Ｂ）２０のうち、発振波の入力レベルが高い方の検出部と同一の面上にあるアンテナに切り換えるよう制御する。
【００３４】
以上、説明したように、本実施の形態では、携帯電話を人体に装着したときに、使用するアンテナを人体装着面から離れている方のアンテナに切換えることができるので、人体装着時のアンテナ特性を向上させることができるという効果が得られる。
【００３５】
（第７の実施の形態）
次に、図１０に示す本発明の第７の実施の形態における携帯電話のブロック図を参照して、本実施の形態における携帯電話について説明する。本実施の形態における携帯電話は、制御する対象を第１の実施の形態におけるバックライト９のほかに、第２の実施の形態における着信音発生手段としてのブザー５を加え、さらにバックライト９およびブザー５の動作の制御の有無を設定する設定部（Ａ）１７を備えるとともに、制御部（Ａ）４および制御部（Ｂ）１２の代わりにバックライト９の発光およびブザー５の着信音の発生を制御する制御部（Ｅ）１６に変更した点が相違している。
【００３６】
このような構成により、上部検出部２で検出した発振部１からの発振波の入力レベルを比較部（Ａ）３において基準値と比較し、比較した結果に基づき、制御部（Ｅ）１６はバックライト９の発光およびブザー５の着信音の発生を制御し、その際、設定部（Ａ）１７の設定に従い、バックライト９のみを制御するか、ブザー５のみを制御するか、またはバックライト９およびブザー５の両方を制御するかを選択して制御する。
【００３７】
以上、説明したように、本実施の形態では、使用者の判断により、バックライト９のみを制御するか、ブザー５のみを制御するか、バックライト９およびブザー５の両方を制御するかを設定部（Ａ）１７に設定することができるので、使用者の使用状況に応じて、バックライト９およびブザー５の制御を多様化することができる。
【００３８】
（第８の実施の形態）
次に、図１１に示す本発明の第８の実施の形態における携帯電話のブロック図を参照して、本実施の形態における携帯電話について説明する。本実施の形態における携帯電話は、制御する対象を第３の実施の形態におけるバックライト９のほかに、第４の実施の形態におけるブザー５を加え、さらにバックライト９およびブザー５の動作の制御の有無を設定する設定部（Ａ）１７を備えるとともに、制御部（Ａ）４および制御部（Ｂ）１２の代わりにバックライト９の発光およびブザー５の着信音の発生を制御する制御部（Ｅ）１６に変更した点が相違している。
【００３９】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｅ）１６はバックライト９の発光およびブザー５の着信音の発生を制御し、その際、設定部（Ａ）１７の設定に従い、バックライト９のみを制御するか、ブザー５のみを制御するか、バックライト９およびブザー５の両方を制御するかを選択して制御する。
【００４０】
以上、説明したように、本実施の形態では、使用者の判断により、バックライト９のみを制御するか、ブザー５のみを制御するか、バックライト９およびブザー５の両方を制御するかを設定部（Ａ）１７に設定することができるので、使用者の使用状況に応じて、バックライト９およびブザー５の制御を多様化することができる。
【００４１】
（第９の実施の形態）
次に、図１２に示す本発明の第９の実施の形態における携帯電話のブロック図を参照して、本実施の形態における携帯電話について説明する。本実施の形態における携帯電話は、制御する対象を第８の実施の形態におけるバックライト９およびブザー５のほかにアンテナ８を加え、さらに設定部（Ａ）１７の代わりにバックライト９、ブザー５およびアンテナ８の動作の制御の有無を設定する設定部（Ｂ）１９を備えるとともに、制御部（Ｅ）１６の代わりにバックライト９、ブザー５およびアンテナ８の動作を制御する制御部（Ｆ）１８に変更した点が相違している。
【００４２】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｆ）１８は、バックライト９の発光、ブザー５の着信音の発生、およびアンテナ８の指向性を制御し、その際、設定部（Ｂ）１９の設定に従い、バックライト９のみを制御するか、ブザー５のみを制御するか、アンテナ８のみを制御するか、それらのうち何れか２つのみを制御するか、またはバックライト９、ブザー５およびアンテナ８の全てを制御するかを選択して制御する。
【００４３】
以上、説明したように、本実施の形態では、バックライト９の発光、ブザー５の着信音の発生、およびアンテナ８の指向性の制御とともに、使用者の判断により、バックライト９のみを制御するか、ブザー５のみを制御するか、アンテナ８のみを制御するか、またはそれらのうち２つまたは全てをを制御するかを設定部（Ｂ）１９に設定することができるので、使用者の使用状況に応じて、バックライト９、ブザー５およびアンテナ８の制御の多様化を図ることができる。
【００４４】
（第１０の実施の形態）
次に、図１３に示す本発明の第１０の実施の形態における携帯電話のブロック図を参照して、本実施の形態における携帯電話について説明する。本実施の形態における携帯電話は、第９の実施の形態における携帯電話のように制御する対象を１本のアンテナ８のみではなく、アンテナ（Ａ）１４とアンテナ（Ｂ）２０の２本を備え、さらに設定部（Ｂ）１９の代わりにバックライト９およびブザー５とアンテナ（Ａ）１４およびアンテナ（Ｂ）２０の動作の制御の有無と、アンテナ（Ａ）１４およびアンテナ（Ｂ）２０の切替え制御の有無とを設定する設定部（Ｃ）２２を備えるとともに、制御部（Ｆ）１８の代わりにバックライト９およびブザー５の動作の制御と、アンテナ（Ａ）１４およびアンテナ（Ｂ）２０の動作および切替えを制御する制御部（Ｇ）２１に変更した点が相違している。
【００４５】
このような構成により、それぞれ上部検出部２および下部検出部１０で検出した発振部１からの発振波の入力レベルを比較部（Ｂ）１１においてそれぞれ基準値と比較し、比較した結果に基づき、制御部（Ｇ）２１は、バックライト９の発光、ブザー５の着信音の発生、およびアンテナ（Ａ）１４およびアンテナ（Ｂ）２０の指向性および切替えを制御する。その際、制御部（Ｇ）２１は、設定部（Ｃ）２２の設定に従い、バックライト９のみを制御するか、ブザー５のみを制御するか、アンテナ（Ａ）１４およびアンテナ（Ｂ）２０を切替え制御するか、それらのうち何れか２つのみを制御するか、またはそれら全てを制御するかを選択して制御する。
【００４６】
以上、説明したように、本実施の形態では、バックライト９の発光、ブザー５の着信音の発生、およびアンテナ（Ａ）１４およびアンテナ（Ｂ）２０の指向性およびその切替え制御とともに、使用者の判断により、バックライト９のみを制御するか、ブザー５のみを制御するか、アンテナ（Ａ）１４およびアンテナ（Ｂ）２０を切替え制御するか、またはそれらのうち２つまたは全てをを制御するかを設定部（Ｂ）１９に設定することができるので、使用者の使用状況に応じて、バックライト９、ブザー５、およびアンテナ（Ａ）１４およびアンテナ（Ｂ）２０の制御の多様化を図ることができる。
【００４７】
【発明の効果】
本発明における携帯電話は、上記のように構成され、特に、発振部を設け、発振部からの発振波を携帯電話の他の位置に発振部から離して携帯電話の表面、裏面、または、表面及び裏面に置かれた１以上の検出部で検出し、検出した発振波の入力レベルを基準値と比較して携帯電話上における障害物の有無を判断し、障害物の有無によりＬＣＤやキーのバックライトおよびブザー等を制御するようにしたことにより、障害物の有無等、周囲の状況に応じてバックライトやブザー等を制御することができる。
【図面の簡単な説明】
【図１】本発明の第１および第２の実施の形態における携帯電話の外観略図、
【図２】本発明の第１の実施の形態における携帯電話の構成を示す機能ブロック図、
【図３】本発明の第２の実施の形態における携帯電話の構成を示す機能ブロック図、
【図４】本発明の第３、第４および第５の実施の形態における携帯電話の外観略図、
【図５】本発明の第３の実施の形態における携帯電話の構成を示す機能ブロック図、
【図６】本発明の第４の実施の形態における携帯電話の構成を示す機能ブロック図、
【図７】本発明の第５の実施の形態における携帯電話の構成を示す機能ブロック図、
【図８】本発明の第６の実施の形態における携帯電話の外観略図、
【図９】本発明の第６の実施の形態における携帯電話の構成を示す機能ブロック図、
【図１０】本発明の第７の実施の形態における携帯電話の構成を示す機能ブロック図、
【図１１】本発明の第８の実施の形態における携帯電話の構成を示す機能ブロック図、
【図１２】本発明の第９の実施の形態における携帯電話の構成を示す機能ブロック図、
【図１３】本発明の第１０の実施の形態における携帯電話の構成を示す機能ブロック図、
【図１４】従来の携帯電話の構成を示す機能ブロック図。
【符号の説明】
１  発振部                          ３１  アンテナ
２  上部検出部                      ３２  受話部
３  比較部（Ａ）                    ３３  送話部
４  制御部（Ａ）                    ３４  無線通信回路部
５  ブザー                          ３５  音声処理部
６  ＬＣＤ                          ３６  制御部
７  キー                            ３７  光センサ
８  アンテナ                        ３８  明るさレベル判定部
９  バックライト                    ３９  騒音レベル判定部
１０  下部検出部                      ４０  呼び出し音発生制御部
１１  比較部（Ｂ）                    ４１  操作部
１２  制御部（Ｂ）                    ４２  電話帳機能部
１３  制御部（Ｃ）                    ４３  ＬＥＤ点滅条件判定部
１４  アンテナ（Ａ）                  ４４  ＬＣＤ駆動制御部
１５  制御部（Ｄ）                    ４５  液晶表示部
１６  制御部（Ｅ）                    ４６  ＬＥＤ駆動制御部
１７  設定部（Ａ）                    ４７  ＬＥＤ照明部
１８  制御部（Ｆ）
１９  設定部（Ｂ）
２０  アンテナ（Ｂ）
２１  制御部（Ｇ）
２２  設定部（Ｃ）
【図１】
0003568472.tif 000002
【図２】
0003568472.tif 000003
【図３】
0003568472.tif 000004
【図４】
0003568472.tif 000005
【図５】
0003568472.tif 000006
【図６】
0003568472.tif 000007
【図７】
0003568472.tif 000008
【図８】
0003568472.tif 000009
【図９】
0003568472.tif 000010
【図１０】
0003568472.tif 000011
【図１１】
0003568472.tif 000012
【図１２】
0003568472.tif 000013
【図１３】
0003568472.tif 000014
【図１４】
0003568472.tif 000015